(57)【要約】      （修正有）【課題】プラグコネクタの直線的に延びるプラグ側接触部に対してリセプタクルコンタクトが二点で接触する構造でありながら、二つの接触部位を安定した状態で確実に接触させることが可能なコネクタを提供する。【解決手段】リセプタクルコンタクト３５、４５が、固定部３７と、固定部の端部から延びる第１弾性変形部３８と、第１弾性変形部の先端部から固定部側に向かって延びる第２弾性変形部３９と、を具備し、第２弾性変形部３９が、プラグインシュレータとリセプタクルインシュレータを接続したときにプラグ側接触部５９と摺接する第１接触突部４０と、プラグ側接触部と第１接触突部が接触したときに被当接部と当接する変形規制部４２と、プラグインシュレータとリセプタクルインシュレータを接続したときにプラグ側接触部と接触する第２接触突部４３と、を備える。【選択図】図１５
2014035794.tif 000002
【特許請求の範囲】
【請求項１】
プラグインシュレータ、及び、直線的に延びるプラグ側接触部を有しかつ該プラグシンシュレータに支持したプラグコンタクト、を有するプラグコネクタと、
上記プラグインシュレータと接続可能なリセプタクルインシュレータ、及び、該リセプタクルインシュレータに取り付けた、上記プラグコンタクトの上記プラグ側接触部と接離可能なリセプタクルコンタクト、を有するリセプタクルコネクタと、
を備えるコネクタにおいて、
上記リセプタクルコンタクトが、
上記リセプタクルインシュレータに固定した固定部と、
該固定部の端部から延びる第１弾性変形部と、
該第１弾性変形部の先端部から上記固定部側に向かって延び、かつ上記第１弾性変形部と隙間を形成しながら対向する第２弾性変形部と、
を具備し、
上記第２弾性変形部が、
上記プラグインシュレータと上記リセプタクルインシュレータを接続したときに上記プラグ側接触部と摺接して、上記第２弾性変形部を上記第１弾性変形部側に弾性変形させる第１接触突部と、
該第１接触突部より上記第２弾性変形部の先端側に位置し、上記プラグ側接触部と上記第１接触突部が接触しないときは、上記リセプタクルインシュレータと上記第１弾性変形部のいずれかに形成した上記第２弾性変形部より上記第１弾性変形部側に位置する被当接部から離間し、上記プラグ側接触部と上記第１接触突部が接触したときに上記被当接部と当接する変形規制部と、
該変形規制部より上記第２弾性変形部の先端側に位置し、かつ、上記プラグインシュレータと上記リセプタクルインシュレータを接続したときに、上記プラグ側接触部の上記第１接触突部と接触している部位より上記先端側に位置する部位と接触する第２接触突部と、
を備えることを特徴とするコネクタ。
【請求項２】
請求項１記載のコネクタにおいて、
上記リセプタクルインシュレータの表面に、上記第１弾性変形部と平行な方向に延び、かつ底面に上記被当接部を有する広幅取付溝を凹設し、
該広幅取付溝の底面に、該広幅取付溝と平行かつ該広幅取付溝より狭幅の狭幅取付溝を凹設し、
上記第１弾性変形部を上記狭幅取付溝内に位置させると共に、上記第２弾性変形部を上記広幅取付溝内に位置させ、
上記第２弾性変形部に、上記狭幅取付溝より広幅な上記変形規制部を形成したコネクタ。
【請求項３】
請求項２記載のコネクタにおいて、
上記第２弾性変形部が、上記第１接触突部と上記第２接触突部の間に位置し、外形が湾曲形状をなす徐変幅部を有し、
該徐変幅部の中間部に上記変形規制部を形成したコネクタ。
【請求項４】
請求項３記載のコネクタにおいて、
上記徐変幅部が上記第１弾性変形部側に凸の湾曲形状であるコネクタ。
【請求項５】
請求項１から４のいずれか１項記載のコネクタにおいて、
上記プラグインシュレータと上記リセプタクルインシュレータを接続する前の状態において、上記第１弾性変形部が上記リセプタクルインシュレータから離間するコネクタ。
【発明の詳細な説明】
【技術分野】
【０００１】
本発明は、互いに着脱可能なプラグコネクタとリセプタクルコネクタを備えるコネクタに関する。
【背景技術】
【０００２】
互いに着脱可能なプラグコネクタとリセプタクルコネクタを備えるコネクタの従来技術としては、例えば特許文献１に開示されたものがある。
特許文献１のプラグコネクタは、凹部を有するプラグインシュレータと、この凹部に取り付けた二種類のコンタクトからなるプラグコンタクト群と、を備えている。二種類のプラグコンタクトはいずれも、プラグコネクタとリセプタクルコネクタの接続方向（嵌合方向）に直線的に延びるプラグ側接触部を有している。
【０００３】
特許文献１のリセプタクルコネクタは、プラグインシュレータ及びプラグコンタクトを受け入れる受容凹部を有するリセプタクルインシュレータと、受容凹部に取り付けた二種類のコンタクトからなるリセプタクルコンタクト群と、を備えている。二種類のプリセプタクルコンタクトはいずれも、プラグコネクタとリセプタクルコネクタを接続したときに対応するプラグコンタクトのプラグ側接触部と接触する一つの接触部（凸部）を備えている。
【０００４】
プラグコネクタのプラグコンタクト群は回路基板に接続しており、リセプタクルコネクタのリセプタクルコンタクト群は別の回路基板に接続している。
従って、プラグコネクタとリセプタクルコネクタを接続することにより、リセプタクルコンタクト群の各接触部（凸部）が、プラグコンタクト群の各プラグ側接触部と接触すると、２つの回路基板どうしが互いに電気的に導通する。
【０００５】
特許文献１のコネクタは様々な製品に適用可能であり、例えば工業用自動機械等に使用されるＰＬＣ（プログラマブルコントローラ）や自動車のカーナビゲーションの接続等に使用することが可能である。
しかし工場や自動車の内部には粉塵等の様々な微小ゴミが存在するため、微小ゴミがプラグコンタクト群のプラグ側接触部に接触するおそれがある。仮にプラグ側接触部に微小ゴミが付着した状態でプラグコネクタとリセプタクルコネクタを接続すると、プラグ側接触部とリセプタクルコンタクト群の各接触部（凸部）との間に微小ゴミが挟み込まれてしまい、プラグ側接触部と接触部が接触不良を起こす可能性がある。
【０００６】
さらにプラグコンタクトとリセプタクルコンタクトが一点（プラグ側接触部と接触部）のみで接触する構造のため、工業用自動機械等が作動中に振動を起こしたり自動車が走行中に振動を起こすたびにプラグコンタクトとリセプタクルコンタクトの接触状態が一時的に（瞬間的に）解除されてしまうおそれがある。
【０００７】
このような問題点に対する対応策としては、例えば図１７に示す比較例のように、リセプタクルコンタクトに第１接触部（凸部）と第２接触部（凸部）を形成すればよい。このようにすれば、プラグコネクタとリセプタクルコネクタを接続したときに、プラグ側接触部に対して第１接触部が先に摺接し、その後に第２接触部がプラグ側接触部に接触する。
第１接触部がプラグ側接触部に対して摺接することにより、プラグ側接触部に付着していた微小ゴミが清浄され（掃き出され）、この清浄面（プラグ側接触部）に対して第２接触部が接触するので、プラグコネクタとリセプタクルコネクタが接触不良を起こすおそれは小さくなる。
さらにプラグコンタクトとリセプタクルコンタクトが二点（プラグ側接触部と第１接触部、及び、プラグ側接触部と第２接触部）で接触することになるので、仮に振動によって一方の接触点の接触状態が一時的に（瞬間的に）解除されても、他方の接触点の接触状態は維持される可能性があるので、接触信頼性が向上する。
【先行技術文献】
【特許文献】
【０００８】
【特許文献１】特開２０１０−３３７１４号公報
【発明の概要】
【発明が解決しようとする課題】
【０００９】
しかし、リセプタクルコンタクトのバネ長が長い場合、或いは、プラグコンタクトの製造寸法が設計値からずれたりプラグコンタクト（プラグコネクタ）のリセプタクルコネクタに対する挿入姿勢が正規の姿勢からずれたりすると、プラグコンタクトと接触したときに第１接触部の位置が所定位置（設計位置）から微小に変化するので、第１接触部より先端側（第２接触部側）の位置が所定位置（設計位置）から変わりやすくなる。つまり、第２接触部がプラグから離間したり、バネ力が低下し易くなるので、プラグ側接触部と第２接触部の間の接触状態が不安定になるおそれがある。
【００１０】
本発明の目的は、プラグコネクタの直線的に延びるプラグ側接触部に対してリセプタクルコンタクトが二点で接触する構造でありながら、この二つの接触部位を安定した状態で確実に接触させることが可能なコネクタを提供することにある。
【課題を解決するための手段】
【００１１】
本発明のコネクタは、プラグインシュレータ、及び、直線的に延びるプラグ側接触部を有しかつ該プラグシンシュレータに支持したプラグコンタクト、を有するプラグコネクタと、上記プラグインシュレータと接続可能なリセプタクルインシュレータ、及び、該リセプタクルインシュレータに取り付けた、上記プラグコンタクトの上記プラグ側接触部と接離可能なリセプタクルコンタクト、を有するリセプタクルコネクタと、を備えるコネクタにおいて、上記リセプタクルコンタクトが、上記リセプタクルインシュレータに固定した固定部と、該固定部の端部から延びる第１弾性変形部と、該第１弾性変形部の先端部から上記固定部側に向かって延び、かつ上記第１弾性変形部と隙間を形成しながら対向する第２弾性変形部と、を具備し、上記第２弾性変形部が、上記プラグインシュレータと上記リセプタクルインシュレータを接続したときに上記プラグ側接触部と摺接して、上記第２弾性変形部を上記第１弾性変形部側に弾性変形させる第１接触突部と、該第１接触突部より上記第２弾性変形部の先端側に位置し、上記プラグ側接触部と上記第１接触突部が接触しないときは、上記リセプタクルインシュレータと上記第１弾性変形部のいずれかに形成した上記第２弾性変形部より上記第１弾性変形部側に位置する被当接部から離間し、上記プラグ側接触部と上記第１接触突部が接触したときに上記被当接部と当接する変形規制部と、該変形規制部より上記第２弾性変形部の先端側に位置し、かつ、上記プラグインシュレータと上記リセプタクルインシュレータを接続したときに、上記プラグ側接触部の上記第１接触突部と接触している部位より上記先端側に位置する部位と接触する第２接触突部と、を備えることを特徴としている。
【００１２】
上記リセプタクルインシュレータの表面に、上記第１弾性変形部と平行な方向に延び、かつ底面に上記被当接部を有する広幅取付溝を凹設し、該広幅取付溝の底面に、該広幅取付溝と平行かつ該広幅取付溝より狭幅の狭幅取付溝を凹設し、上記第１弾性変形部を上記狭幅取付溝内に位置させると共に、上記第２弾性変形部を上記広幅取付溝内に位置させ、上記第２弾性変形部に、上記狭幅取付溝より広幅な上記変形規制部を形成してもよい。
【００１３】
上記第２弾性変形部が、上記第１接触突部と上記第２接触突部の間に位置し、外形が湾曲形状をなす徐変幅部を有し、該徐変幅部の中間部に上記変形規制部を形成してもよい。
さらに上記徐変幅部が上記第１弾性変形部側に凸の湾曲形状であってもよい。
【００１４】
上記プラグインシュレータと上記リセプタクルインシュレータを接続する前の状態において、上記第１弾性変形部が上記リセプタクルインシュレータから離間してもよい。
【発明の効果】
【００１５】
本発明によれば、プラグコネクタとリセプタクルコネクタを中間位置まで嵌合することにより、リセプタクルコンタクトの第１接触突部に対してプラグコンタクトのプラグ側接触部が接触すると、第２弾性変形部が第１弾性変形部側に弾性変形し、それまでは被当接部と離間していた変形規制部が被当接部に接触する。すると第２接触突部を含むバネ部のバネ長が、変形規制部が被当接部に接触する前に比べて短くなる（バネ定数が変わる）ので、当該部分のバネ力が（変形規制部が被当接部に接触する前に比べて）高くなる。この状態からリセプタクルコネクタとプラグコネクタを完全に嵌合させることによりプラグコンタクトのプラグ側接触部がリセプタクルコンタクトの第１接触突部に対して摺動すると、リセプタクルコンタクトの第１接触突部によってプラグ側接触部の表面に付着していた微小ゴミが清浄される（掃き出される）。そして、プラグ側接触部の中の清浄された部位に対して、リセプタクルコンタクトの第２接触突部が強い圧接力を伴って確実に接触する。さらに、リセプタクルコネクタとプラグコネクタを中間位置まで接続することにより変形規制部が被当接部に接触すると、各リセプタクルコンタクトの変形規制部より先端側（第２接触突部側）の部位が所定の変形位置（設計位置）に位置するので、各プラグコンタクトの製造寸法が設計値からずれたり、各プラグコンタクト（プラグコネクタ）のリセプタクルコネクタに対する挿入姿勢が正規の姿勢からずれたとしても、各第２接触突部を各プラグ側接触部に対して確実に接触させることが可能である。そのためリセプタクルコンタクトのバネ長が長い場合であっても、第１接触突部と第２接触突部をプラグコンタクトのプラグ側接触部に対して安定した状態で接触させることが可能である。
【００１６】
また第２接触突部がプラグ側接触部の清浄された部位に接触するので、第２接触突部とプラグ側接触部が接触不良を起こすおそれは小さい。
さらにプラグコンタクトとリセプタクルコンタクトが二点で接触するので、コネクタに生じた振動によって一方の接触点の接触状態が一時的に（瞬間的に）解除されたとしても、他方の接触点の接触状態は維持される可能性があるので、一点接触の場合に比べて接触信頼性が向上する。
【図面の簡単な説明】
【００１７】
【図１】本発明の一実施形態のプラグコネクタとリセプタクルコネクタの分離状態の下方から見た斜視図である。
【図２】リセプタクルコネクタの下方から見た分解斜視図である。
【図３】第１リセプタクルコンタクトの斜視図である。
【図４】第１リセプタクルコンタクトの背面図である。
【図５】第１リセプタクルコンタクトの正面図である。
【図６】リセプタクルコネクタの平面図である。
【図７】図６のVII−VII矢線に沿う断面図である。
【図８】図７のVIII−VIII矢線に沿う断面図である。
【図９】図８の要部の拡大図である。
【図１０】プラグコネクタの上方から見た分解斜視図である。
【図１１】プラグコネクタの平面図である。
【図１２】図１１のXII−XII矢線に沿う断面図である。
【図１３】プラグコネクタとリセプタクルコネクタを中間位置まで嵌合したときの図７、図１２と同じ位置で切断した断面図である。
【図１４】接続完了状態のプラグコネクタとリセプタクルコネクタの下方から見た斜視図である。
【図１５】接続完了状態の図１３と同様の断面図である。
【図１６】図１５の要部の拡大図である。
【図１７】比較例の図１５と同様の断面図である。
【発明を実施するための形態】
【００１８】
以下、図１〜図１６を参照しながら本発明の一実施形態について説明する。
本実施形態のコネクタ１０は、例えば工業用自動機械等に使用されるＰＬＣ（プログラマブルコントローラ）や自動車のカーナビゲーションの接続等に適用可能なものであり、互いに結合及び分離が可能なリセプタクルコネクタ２０とプラグコネクタ５０を具備している。
【００１９】
まずリセプタクルコネクタ２０の全体構造について説明する。
リセプタクルコネクタ２０は、絶縁性かつ耐熱性の合成樹脂料を射出成形したリセプタクルインシュレータ２１と、リセプタクルインシュレータ２１に固定した第１リセプタクルコンタクト３５、及び、第２リセプタクルコンタクト４５と、を具備するものである。
リセプタクルインシュレータ２１は内部空間が受容凹部２２ａを構成する環状壁部２２と、環状壁部２２の底面を塞ぐ底板部２３とを一体的に具備している。リセプタクルインシュレータ２１には、底板部２３を貫通し、かつ環状壁部２２の内面に沿って上方に延びる第１コンタクト取付溝２５と第２コンタクト取付溝３３が８本ずつ形成してある。
８本の第１コンタクト取付溝２５は左右方向に並べて形成してあり、各第１コンタクト取付溝２５は、底板部２３の底面に形成したテール取付溝２６と、テール取付溝２６の後端部から上方に延びかつ上端が環状壁部２２の上面において開口する本体取付溝２８と、を有している。本体取付溝２８は環状壁部２２の前側の内面（表面）に凹設した前後方向に延びる広幅取付溝２９と、広幅取付溝２９の底面に凹設した、広幅取付溝２９と平行かつ広幅取付溝２９より（左右寸法が）狭幅の狭幅取付溝３１と、を具備している。各広幅取付溝２９の底面は、狭幅取付溝３１の前後両側に位置し、かつ前後方向に対して直交する平面からなる被当接部３０となっている。８本の第２コンタクト取付溝３３は各第１コンタクト取付溝２５と前後対称をなす溝であり、第１コンタクト取付溝２５と同様に、テール取付溝２６と本体取付溝２８（広幅取付溝２９、狭幅取付溝３１）を具備している。
【００２０】
各第１コンタクト取付溝２５と各第２コンタクト取付溝３３には、共に８本の第１リセプタクルコンタクト３５と第２リセプタクルコンタクト４５がそれぞれ取り付けてある。
第１リセプタクルコンタクト３５及び第２リセプタクルコンタクト４５は共にばね弾性を備えた銅合金（例えばリン青銅、ベリリウム銅、チタン銅）やコルソン系銅合金の薄板を順送金型（スタンピング）を用いて図示形状に成形加工したものであり、表面にニッケルメッキで下地を形成した後に、金メッキや錫銅めっきを施してある。第１リセプタクルコンタクト３５及び第２リセプタクルコンタクト４５は互いに前後対称である。さらに、第１リセプタクルコンタクト３５は左右対称なコンタクトであり、第２リセプタクルコンタクト４５も左右対称なコンタクトである。
各第１リセプタクルコンタクト３５は、前後方向に延びるテール片３６と、テール片３６の端部から上方に向かって直線的に延びる固定部３７と、固定部３７の端部から後ろ斜め上方に延びた後に上方に向かって直線的に延びる外側弾性変形部３８（第１弾性変形部）と、外側弾性変形部３８の上端から下向きに湾曲しながら延びた後に下方に向かって延びる内側弾性変形部３９（第２弾性変形部）と、を具備している。図示するように内側弾性変形部３９は、外側弾性変形部３８と離間しながら前後方向に対向する。図示するように固定部３７は外側弾性変形部３８より広幅であり、内側弾性変形部３９も外側弾性変形部３８より広幅である。また固定部３７の左右両側面には計４つの係止突起３７ａが突設してある。内側弾性変形部３９の上端近傍には後方に凸の態様で湾曲する第１接触突部４０が形成してあり、内側弾性変形部３９の下端部には後方に凸の態様で湾曲する第２接触突部４３が形成してある。内側弾性変形部３９の第１接触突部４０と第２接触突部４３の間に位置する部分は、前後方向に見たときに、中間部が最も広幅で、中間部から第１接触突部４０側と第２接触突部４３側に向かうにつれて徐々に狭幅になり、両側縁部の外形が湾曲形状をなす徐変幅部４１となっている（図３、図４参照）。徐変幅部４１を左右方向から見ると、徐変幅部４１は全体として前側に凸の湾曲形状をなす（図３、図７等参照）。徐変幅部４１は狭幅取付溝３１より広幅である。そして徐変幅部４１の中間部（最も広幅な部位）には変形規制部４２が形成してある。
各第２リセプタクルコンタクト４５は、第１リセプタクルコンタクト３５と同様に、テール片３６、固定部３７、外側弾性変形部３８、及び、内側弾性変形部３９（第１接触突部４０、徐変幅部４１、変形規制部４２、第２接触突部４３）を具備している。
【００２１】
各第１リセプタクルコンタクト３５と各第２リセプタクルコンタクト４５は、第１コンタクト取付溝２５と第２コンタクト取付溝３３に対してそれぞれ下方から挿入してある。
第１リセプタクルコンタクト３５を第１コンタクト取付溝２５に対して下方から挿入すると、図７に示すように、テール片３６がテール取付溝２６内に位置し、固定部３７及び外側弾性変形部３８が狭幅取付溝３１内に位置し、（狭幅取付溝３１より広幅な徐変幅部４１を有する）内側弾性変形部３９が広幅取付溝２９内に位置する。さらに固定部３７は狭幅取付溝３１の底面に接触し、各係止突起３７ａが狭幅取付溝３１の両側面に食い込むので、固定部３７が狭幅取付溝３１に対して固定される。第２リセプタクルコンタクト４５も第２コンタクト取付溝３３に対して第１リセプタクルコンタクト３５と同様の要領によって第２コンタクト取付溝３３に対して取り付けてある。第１リセプタクルコンタクト３５及び第２リセプタクルコンタクト４５が狭幅取付溝３１より広幅な徐変幅部４１を有するものの、固定部３７及び外側弾性変形部３８を狭幅取付溝３１内に位置させ、内側弾性変形部３９を広幅取付溝２９内に位置させることにより、第１リセプタクルコンタクト３５及び各第２リセプタクルコンタクト４５を第１コンタクト取付溝２５と第２コンタクト取付溝３３に対してそれぞれ下方から挿入可能にしているので、リセプタクルコネクタ２０の生産性が（狭幅取付溝３１より広幅な徐変幅部４１によって）損なわれることはない。
このようにして第１リセプタクルコンタクト３５と第２リセプタクルコンタクト４５をリセプタクルインシュレータ２１に取り付けると外側弾性変形部３８及び内側弾性変形部３９は自由状態となり、さらに外側弾性変形部３８が狭幅取付溝３１の底面から離間し、変形規制部４２が被当接部３０から離間する。さらに図７に示すように、各第１接触突部４０及び各第２接触突部４３が受容凹部２２ａ内（広幅取付溝２９の内側）に位置する。
【００２２】
図１に示すように、第１リセプタクルコンタクト３５及び第２リセプタクルコンタクト４５のテール片３６は、上下方向に対して直交する回路基板ＣＢ１上の回路パターンに半田付けしてある。
【００２３】
続いてプラグコネクタ５０の全体構造について説明する。
プラグコネクタ５０は、絶縁性かつ耐熱性の合成樹脂料を射出成形したプラグインシュレータ５１と、プラグインシュレータ５１に固定した第１プラグコンタクト５７、及び、第２プラグコンタクト６２と、を具備するものである。
プラグインシュレータ５１は、リセプタクルインシュレータ２１の受容凹部２２ａに対して嵌合可能な嵌合凸部５２と、嵌合凸部５２の周囲を囲む外周環状壁部５３と、嵌合凸部５２及び外周環状壁部５３の天井部を塞ぐ天井部５４と、を具備しており、外周環状壁部５３と嵌合凸部５２の間の空間はリセプタクルインシュレータ２１の環状壁部２２が嵌合可能な嵌合凹部５５となっている。
【００２４】
プラグインシュレータ５１には共に８本の第１プラグコンタクト５７と第２プラグコンタクト６２がそれぞれ取り付けてある。
第１プラグコンタクト５７と第２プラグコンタクト６２は共にばね弾性を備えた銅合金（例えばリン青銅、ベリリウム銅、チタン銅）やコルソン系銅合金の薄板を順送金型（スタンピング）を用いて図示形状に成形加工したものであり、表面にニッケルメッキで下地を形成した後に、金メッキや錫銅めっきを施してある。第１プラグコンタクト５７と第２プラグコンタクト６２は互いに前後対称である。さらに、第１プラグコンタクト５７は左右対称なコンタクトであり、第２プラグコンタクト６２も左右対称なコンタクトである。
各第１プラグコンタクト５７は、前後方向に延びるテール片５８と、テール片５８の端部から下方に向かって直線的に延びる固定部５９（プラグ側接触部）と、固定部５９の下端部に接続する傾斜端部６０と、を具備している。各第２プラグコンタクト６２は、第１プラグコンタクト５７と同様に、テール片５８、固定部５９、及び、傾斜端部６０を具備している。
各第１プラグコンタクト５７は左右方向に並んだ状態でプラグインシュレータ５１に固定してある。各第１プラグコンタクト５７のテール片５８は天井部５４において露出しており、各第１プラグコンタクト５７の固定部５９及び傾斜端部６０は嵌合凸部５２の前面に固定してある。一方、各第２プラグコンタクト６２も左右方向に並んだ状態でプラグインシュレータ５１に固定してある。各第２プラグコンタクト６２のテール片５８は天井部５４において露出しており、各第２プラグコンタクト６２の固定部５９及び傾斜端部６０は嵌合凸部５２の後面に固定してある。
図１に示すように、第１プラグコンタクト５７及び第２プラグコンタクト６２のテール片５８は、上下方向に対して直交する回路基板ＣＢ２上の回路パターンに半田付けしてある。
【００２５】
以上構造のリセプタクルコネクタ２０とプラグコネクタ５０は、図１３〜図１５に示すように、プラグコネクタ５０の嵌合凸部５２をリセプタクルコネクタ２０の環状壁部２２の内部空間（受容凹部２２ａ）に嵌合し、かつリセプタクルコネクタ２０の環状壁部２２をプラグコネクタ５０の嵌合凹部５５に嵌合することにより互いに結合する。
図１３はリセプタクルコネクタ２０とプラグコネクタ５０を中間位置まで嵌合したときの様子を示している。このとき第１リセプタクルコンタクト３５及び第２リセプタクルコンタクト４５の第１接触突部４０に対して第１プラグコンタクト５７及び第２プラグコンタクト６２の固定部５９が接触する。すると第１リセプタクルコンタクト３５の内側弾性変形部３９及び外側弾性変形部３８が前側に弾性変形し、第２リセプタクルコンタクト４５の内側弾性変形部３９及び外側弾性変形部３８が後側に弾性変形するので、それまでは被当接部３０と離間していた各変形規制部４２が被当接部３０に接触する（外側弾性変形部３８と狭幅取付溝３１の底面は離間状態を維持する）。変形規制部４２が被当接部３０に接触する前は、外側弾性変形部３８及び内側弾性変形部３９が一つのバネとして機能しており、外側弾性変形部３８の下端（基端）と内側弾性変形部３９の先端（第２接触突部４３）の間の全長が実質的なバネ長となる。しかし変形規制部４２が被当接部３０に接触した後は、内側弾性変形部３９の第１接触突部４０より先端側（第２接触突部４３）側に位置する部分が別のバネ定数（変形規制部４２が被当接部３０に接触する前とは別のバネ定数）も持ったバネとして機能する。即ち、変形規制部４２が被当接部３０に接触することによって、第２接触突部４３を含むバネ部のバネ長が（変形規制部４２が被当接部３０に接触する前に比べて）短くなるので、当該部分のバネ力が（変形規制部４２が被当接部３０に接触する前に比べて）高くなる。特に本実施形態では変形規制部４２を第１リセプタクルコンタクト３５及び第２リセプタクルコンタクト４５の中で最も広幅にした上で徐変幅部４１を湾曲形状とすることにより、徐変幅部４１を変形時に応力が分散し易い形状としている。そのため徐変幅部４１に大きな応力が掛かっても徐変幅部４１の塑性変形を抑止できるので、第２接触突部４３を含むバネ部のバネ長を短くすることが可能である。
【００２６】
図１３の状態からリセプタクルコネクタ２０とプラグコネクタ５０を完全に嵌合させると、第１プラグコンタクト５７及び第２プラグコンタクト６２の固定部５９が第１リセプタクルコンタクト３５及び第２リセプタクルコンタクト４５の第１接触突部４０に対して下方に摺動し、第１リセプタクルコンタクト３５及び第２リセプタクルコンタクト４５の第１接触突部４０によって対応する固定部５９の表面に付着していた微小ゴミ（例えば粉塵や飛散付着した油脂等）が清浄される（掃き出され）。そして、固定部５９の中の清浄された部位に対して、第１リセプタクルコンタクト３５及び第２リセプタクルコンタクト４５の第２接触突部４３が強い圧接力を伴って接触する。
また、リセプタクルコネクタ２０とプラグコネクタ５０が図１３の状態まで接続することにより変形規制部４２が被当接部３０に接触するので変形規制部４２が位置決めされる（外側弾性変形部３８側に移動しない）とともにに、第１リセプタクルコンタクト３５及び第２リセプタクルコンタクト４５の変形規制部４２より先端側（第２接触突部４３側）の部位が所定の変形位置（設計位置）に位置するので、第１プラグコンタクト５７及び第２プラグコンタクト６２の製造寸法が設計値からずれたり、第１プラグコンタクト５７及び第２プラグコンタクト６２（プラグコネクタ５０）のリセプタクルコネクタ２０に対する挿入姿勢が正規の姿勢からずれたとしても、第２接触突部４３を各固定部５９に対して確実に接触させることが可能である。さらに第２接触突部４３が固定部５９から受ける反力が第１接触突部４０に対して、第１接触突部４０と固定部５９の接触力を高める力として及ぶので、第１接触突部４０が固定部５９から離間することはない。
そのため外側弾性変形部３８の下端（基端）と内側弾性変形部３９の先端（第２接触突部４３）の間の全長が長い場合であっても、第１接触突部４０と第２接触突部４３を第１プラグコンタクト５７及び第２プラグコンタクト６２の固定部５９に対して安定した状態で接触させることが可能である。
しかもリセプタクルコネクタ２０とプラグコネクタ５０を中間位置まで嵌合した状態（図１３の状態）においては、第１プラグコンタクト５７及び第２プラグコンタクト６２の固定部５９は、第１リセプタクルコンタクト３５及び第２リセプタクルコンタクト４５の第１接触突部４０とのみ接触するので、上記中間位置まではリセプタクルコネクタ２０とプラグコネクタ５０を小さい力で嵌合できる。
このように各第１リセプタクルコンタクト３５及び第２リセプタクルコンタクト４５が第１接触突部４０と第２接触突部４３の二点で固定部５９に接触するので、第１リセプタクルコンタクト３５と第１プラグコンタクト５７の間、及び、第２リセプタクルコンタクト４５と第２プラグコンタクト６２の間で接触不良が生じるおそれは小さくなり、回路基板ＣＢ１と回路基板ＣＢ２が互いに電気的に導通する。
【００２７】
さらに第１リセプタクルコンタクト３５と第１プラグコンタクト５７、及び、第２リセプタクルコンタクト４５と第２プラグコンタクト６２が二点（第１接触突部４０と第２接触突部４３）で接触することになるので、仮にコネクタ１０が搭載された機器の振動に起因して一方の接触点（例えば第１接触突部４０）の固定部５９に対する接触状態が一時的に（瞬間的に）解除されても、他方の接触点（例えば第２接触突部４３）の接触状態は維持される可能性があるので、高い接触信頼性を得られる。
【００２８】
完全嵌合状態にあるリセプタクルコネクタ２０とプラグコネクタ５０を互いに離れる方向に移動させれば、図１に示すようにリセプタクルコネクタ２０とプラグコネクタ５０を分離できる。リセプタクルコネクタ２０とプラグコネクタ５０が分離すると第１リセプタクルコンタクト３５及び第２リセプタクルコンタクト４５の外側弾性変形部３８及び内側弾性変形部３９が自由状態に弾性復帰し、変形規制部４２が被当接部３０から再び離間する。
【００２９】
以上説明した本発明は上記実施形態に限定されるものでなく、様々な変更を施しながら実施可能である。
例えば、上記実施形態のリセプタクルコネクタ２０及びプラグコネクタ５０はリセプタクルコネクタ２０とプラグコネクタ５０の嵌合方向及び離間方向（即ち上下方向）と回路基板ＣＢ１、ＣＢ２が直交する所謂ストレートタイプであるが、リセプタクルコネクタ２０とプラグコネクタ５０の少なくとも一方を、リセプタクルインシュレータ２１又はプラグインシュレータ５１の側面にテール片３６、５８が露出し、このテール片３６、５８に対してリセプタクルコネクタ２０とプラグコネクタ５０の嵌合方向及び離間方向と平行な回路基板が接続する所謂ライトアングルタイプにしてもよい。
【００３０】
さらに本体取付溝２８を幅が互いに異なる広幅取付溝２９と狭幅取付溝３１によって構成するのではなく、前後位置が変化しても左右幅が（殆ど）変化しない本体取付溝（図示略）を形成し、この本体取付溝に固定部３７、外側弾性変形部３８、及び、内側弾性変形部３９の全体を収納してもよい。この場合は、第１リセプタクルコンタクト３５及び第２リセプタクルコンタクト４５の第１接触突部４０に対して第１プラグコンタクト５７及び第２プラグコンタクト６２の固定部５９が接触することにより第１リセプタクルコンタクト３５及び第２リセプタクルコンタクト４５の内側弾性変形部３９が当該本体取付溝内で弾性変形したときに、内側弾性変形部３９の変形規制部４２を外側弾性変形部３８（被当接部）に接触させて、第２接触突部４３を含むバネ部のバネ長を（変形規制部４２が外側弾性変形部３８に接触する前に比べて）短くする。
また第１リセプタクルコンタクト３５及び第２リセプタクルコンタクト４５の第１接触突部４０に対して第１プラグコンタクト５７及び第２プラグコンタクト６２の固定部５９が接触することにより第１リセプタクルコンタクト３５及び第２リセプタクルコンタクト４５の内側弾性変形部３９及び外側弾性変形部３８が弾性変形したときに、各外側弾性変形部３８が狭幅取付溝３１の底面に接触するようにしてもよい。このようにすれば外側弾性変形部３８の全長が長い場合であっても、第１接触突部４０を固定部５９に対して強い接触圧で接触させることが可能になる。
【００３１】
さらに固定部５９の表面（第１リセプタクルコンタクト３５及び第２リセプタクルコンタクト４５との対向面）に、第１リセプタクルコンタクト３５及び第２リセプタクルコンタクト４５側に向かって突出しかつ固定部５９の長手方向に延びる接触突条を形成し、この接触突条を第１接触突部４０及び第２接触突部４３に接触させてもよい。また、この接触突条を固定部５９の長手方向に延びる左右一対の接触突条（左右の接触突条の間に隙間を形成する）としても良い。
さらに第１接触突部４０と第２接触突部４３に固定部５９側に突出する接触突条を形成し、第１接触突部４０側の接触突条の幅（左右寸法）を第２接触突部４３側の接触突条の幅より広くしてもよい。
【符号の説明】
【００３２】
１０    コネクタ
２０    リセプタクルコネクタ
２１    リセプタクルインシュレータ
２２    環状壁部
２２ａ  受容凹部
２３    底板部
２５    第１コンタクト取付溝
２６    テール取付溝
２８    本体取付溝
２９    広幅取付溝
３０    被当接部
３１    狭幅取付溝
３３    第２コンタクト取付溝
３５    第１リセプタクルコンタクト
３６    テール片
３７    固定部
３７ａ  係止突起
３８    外側弾性変形部（第１弾性変形部）
３９    内側弾性変形部（第２弾性変形部）
４０    第１接触突部
４１    徐変幅部
４２    変形規制部
４３    第２接触突部
４５    第２リセプタクルコンタクト
５０    プラグコネクタ
５１    プラグインシュレータ
５２    嵌合凸部
５３    外周環状壁部
５４    天井部
５５    嵌合凹部
５７    第１プラグコンタクト
５８    テール片
５９    固定部（プラグ側接触部）
６０    傾斜端部
６２    第２プラグコンタクト
ＣＢ１  ＣＢ２  回路基板
【図１】
2014035794.tif 000003
【図２】
2014035794.tif 000004
【図３】
2014035794.tif 000005
【図４】
2014035794.tif 000006
【図５】
2014035794.tif 000007
【図６】
2014035794.tif 000008
【図７】
2014035794.tif 000009
【図８】
2014035794.tif 000010
【図９】
2014035794.tif 000011
【図１０】
2014035794.tif 000012
【図１１】
2014035794.tif 000013
【図１２】
2014035794.tif 000014
【図１３】
2014035794.tif 000015
【図１４】
2014035794.tif 000016
【図１５】
2014035794.tif 000017
【図１６】
2014035794.tif 000018
【図１７】
2014035794.tif 000019
【手続補正書】
【提出日】平成25年7月23日(2013.7.23)
【手続補正１】
【補正対象書類名】明細書
【補正対象項目名】０００３
【補正方法】変更
【補正の内容】
【０００３】
特許文献１のリセプタクルコネクタは、プラグインシュレータ及びプラグコンタクトを受け入れる受容凹部を有するリセプタクルインシュレータと、受容凹部に取り付けた二種類のコンタクトからなるリセプタクルコンタクト群と、を備えている。二種類のリセプタクルコンタクトはいずれも、プラグコネクタとリセプタクルコネクタを接続したときに対応するプラグコンタクトのプラグ側接触部と接触する一つの接触部（凸部）を備えている。 
【手続補正２】
【補正対象書類名】明細書
【補正対象項目名】００２５
【補正方法】変更
【補正の内容】
【００２５】
以上構造のリセプタクルコネクタ２０とプラグコネクタ５０は、図１３〜図１５に示すように、プラグコネクタ５０の嵌合凸部５２をリセプタクルコネクタ２０の環状壁部２２の内部空間（受容凹部２２ａ）に嵌合し、かつリセプタクルコネクタ２０の環状壁部２２をプラグコネクタ５０の嵌合凹部５５に嵌合することにより互いに結合する。
図１３はリセプタクルコネクタ２０とプラグコネクタ５０を中間位置まで嵌合したときの様子を示している。このとき第１リセプタクルコンタクト３５及び第２リセプタクルコンタクト４５の第１接触突部４０に対して第１プラグコンタクト５７及び第２プラグコンタクト６２の固定部５９が接触する。すると第１リセプタクルコンタクト３５の内側弾性変形部３９及び外側弾性変形部３８が前側に弾性変形し、第２リセプタクルコンタクト４５の内側弾性変形部３９及び外側弾性変形部３８が後側に弾性変形するので、それまでは被当接部３０と離間していた各変形規制部４２が被当接部３０に接触する（外側弾性変形部３８と狭幅取付溝３１の底面は離間状態を維持する）。変形規制部４２が被当接部３０に接触する前は、外側弾性変形部３８及び内側弾性変形部３９が一つのバネとして機能しており、外側弾性変形部３８の下端（基端）と内側弾性変形部３９の先端（第２接触突部４３）の間の全長が実質的なバネ長となる。しかし変形規制部４２が被当接部３０に接触した後は、内側弾性変形部３９の第１接触突部４０より先端側（第２接触突部４３）側に位置する部分が別のバネ定数（変形規制部４２が被当接部３０に接触する前とは別のバネ定数）を持ったバネとして機能する。即ち、変形規制部４２が被当接部３０に接触することによって、第２接触突部４３を含むバネ部のバネ長が（変形規制部４２が被当接部３０に接触する前に比べて）短くなるので、当該部分のバネ力が（変形規制部４２が被当接部３０に接触する前に比べて）高くなる。特に本実施形態では変形規制部４２を第１リセプタクルコンタクト３５及び第２リセプタクルコンタクト４５の中で最も広幅にした上で徐変幅部４１を湾曲形状とすることにより、徐変幅部４１を変形時に応力が分散し易い形状としている。そのため徐変幅部４１に大きな応力が掛かっても徐変幅部４１の塑性変形を抑止できるので、第２接触突部４３を含むバネ部のバネ長を短くすることが可能である。 
【手続補正３】
【補正対象書類名】明細書
【補正対象項目名】００２６
【補正方法】変更
【補正の内容】
【００２６】
図１３の状態からリセプタクルコネクタ２０とプラグコネクタ５０を完全に嵌合させると、第１プラグコンタクト５７及び第２プラグコンタクト６２の固定部５９が第１リセプタクルコンタクト３５及び第２リセプタクルコンタクト４５の第１接触突部４０に対して下方に摺動し、第１リセプタクルコンタクト３５及び第２リセプタクルコンタクト４５の第１接触突部４０によって対応する固定部５９の表面に付着していた微小ゴミ（例えば粉塵や飛散付着した油脂等）が清浄される（掃き出され）。そして、固定部５９の中の清浄された部位に対して、第１リセプタクルコンタクト３５及び第２リセプタクルコンタクト４５の第２接触突部４３が強い圧接力を伴って接触する。
また、リセプタクルコネクタ２０とプラグコネクタ５０が図１３の状態まで接続することにより変形規制部４２が被当接部３０に接触するので変形規制部４２が位置決めされる（外側弾性変形部３８側に移動しない）とともに、第１リセプタクルコンタクト３５及び第２リセプタクルコンタクト４５の変形規制部４２より先端側（第２接触突部４３側）の部位が所定の変形位置（設計位置）に位置するので、第１プラグコンタクト５７及び第２プラグコンタクト６２の製造寸法が設計値からずれたり、第１プラグコンタクト５７及び第２プラグコンタクト６２（プラグコネクタ５０）のリセプタクルコネクタ２０に対する挿入姿勢が正規の姿勢からずれたとしても、第２接触突部４３を各固定部５９に対して確実に接触させることが可能である。さらに第２接触突部４３が固定部５９から受ける反力が第１接触突部４０に対して、第１接触突部４０と固定部５９の接触力を高める力として及ぶので、第１接触突部４０が固定部５９から離間することはない。
そのため外側弾性変形部３８の下端（基端）と内側弾性変形部３９の先端（第２接触突部４３）の間の全長が長い場合であっても、第１接触突部４０と第２接触突部４３を第１プラグコンタクト５７及び第２プラグコンタクト６２の固定部５９に対して安定した状態で接触させることが可能である。
しかもリセプタクルコネクタ２０とプラグコネクタ５０を中間位置まで嵌合した状態（図１３の状態）においては、第１プラグコンタクト５７及び第２プラグコンタクト６２の固定部５９は、第１リセプタクルコンタクト３５及び第２リセプタクルコンタクト４５の第１接触突部４０とのみ接触するので、上記中間位置まではリセプタクルコネクタ２０とプラグコネクタ５０を小さい力で嵌合できる。
このように各第１リセプタクルコンタクト３５及び第２リセプタクルコンタクト４５が第１接触突部４０と第２接触突部４３の二点で固定部５９に接触するので、第１リセプタクルコンタクト３５と第１プラグコンタクト５７の間、及び、第２リセプタクルコンタクト４５と第２プラグコンタクト６２の間で接触不良が生じるおそれは小さくなり、回路基板ＣＢ１と回路基板ＣＢ２が互いに電気的に導通する。